(57)【特許請求の範囲】
【請求項１】
基盤（１）上に棒状の弾性体（９）が互いに間隔をおいて多数起立状に設けられ、各弾性体（９）に複数の芝生模造葉片（１３）が叢生するように上方突出状に設けられ、
棒状の各弾性体（９）が砂土に直接接触して砂土内で弾性変形可能になるように、棒状の弾性体（９）は、１本１本が独立した構成で基盤（１）上から上方突出されていることを特徴とする人工芝生。
【請求項２】
前記基盤（１）は硬質な素材により構成され、弾性体（９）は、ゴムや弾性に富むプラスチック等の単体弾性素材により構成され、芝生模造葉片（１３）は、ナイロン系の合成樹脂により構成され、前記弾性体（９）が、基盤（１）に対して着脱自在に設けられていることを特徴とする請求項１に記載の人工芝生。
【請求項３】
前記基盤（１）及び弾性体（９）が砂土に埋設され、芝生模造葉片（１３）が砂土から上方突出されていることを特徴とする請求項１又は２に記載の人工芝生。
【発明の詳細な説明】
【０００１】
【発明の属する技術分野】
本発明は、主にスポーツ競技等のグランドに敷設して使用する人工芝生に関する。
【０００２】
【従来の技術】
従来、スポーツ競技用に使用されている人工芝生には、図２０に示すように繊基布３１に芝生葉片３２を織り込んだり縫ったりすると共に、繊維基布３１の下面にクッション材３３を貼り付けてなる絨毯状の人工芝生３４を、アスファルトコンクリート舗装地盤３５に貼り付けたり置いたりしたものや、図２１に示すように繊基布３１に芝生葉片３２を織り込んだり縫ったりしてなる絨毯状の人工芝生３４を、アスファルトコンクリート舗装地盤３５に貼り付け、この芝生葉片３２部分に砂土３６を充填したものが主流になっている。
【０００３】
【発明が解決しようとする課題】
上記従来品に共通して言えることは、いずれもアスファルトコンクリート舗装地盤３５という堅い地盤が必要になっており、このことは、通常地盤のような柔軟性のある地盤に直接使用すれば人工芝生３４表面に凹凸が生ずるという問題があるためである。
【０００４】
しかし、地盤がアスファルトコンクリート舗装地盤３５等の堅いもので構成されていると、競技等の激しい運動に際し、人体（特に膝等）に与える影響・負担が大きくて疲れ易かったり、その他体に様々な悪影響を及ぼす。
まず、図１７に示す絨毯状の人工芝生３４については、スライディングや転がったりした場合には砂土の地盤と比べて摩擦抵抗が大きくて体に負担がかかる。又、激しい動きをすると、消耗・破損等も早くなり、補修取り替えが多くなる。
【０００５】
次に、図２１に示す絨毯状で芝生葉片３２部分に砂土３６を入れたものについては、芝生葉片３２部分に砂土３６をいれてある構成なので、激しく動いたり、滑ったり・転んだりしたときに芝生葉片３２や砂土３６は、たやすく移動させられ、特に芝生葉片３２は、しなやかで復元力が弱いので倒れたりする不都合があった。その為、頻繁に手入れが必要になっていた。
【０００６】
本発明は、上記問題点に鑑み、競技等の激しい運動に際しても、人体（特に膝等）に与える影響・負担が小さくて済み、疲れや故障を減少させることができ、しかも復元力がよくて安定性がよく、手入れの必要がすくなくなるようにしたものである。
【０００７】
【課題を解決するための手段】
この技術的課題を解決するための本発明の第１の技術的手段は、基盤１上に棒状の弾性体９が互いに間隔をおいて多数起立状に設けられ、各弾性体９に複数の芝生模造葉片１３が叢生するように上方突出状に設けられ、棒状の各弾性体９が砂土に直接接触して砂土内で弾性変形可能になるように、棒状の弾性体９は、１本１本が独立した構成で基盤１上から上方突出されている点にある。
本発明の第２の技術的手段は、前記基盤１は硬質な素材により構成され、弾性体９は、ゴムや弾性に富むプラスチック等の単体弾性素材により構成され、芝生模造葉片１３は、ナイロン系の合成樹脂により構成され、前記弾性体９が、基盤１に対して着脱自在に設けられている点にある。
【０００８】
本発明の第３の技術的手段は、前記基盤１及び弾性体９が砂土に埋設され、芝生模造葉片１３が砂土から上方突出されている点にある。
従って、アスファルトコンクリート舗装地盤などの堅い地盤を形成しなくても凹凸が生じない構成になっていることや、単体の弾性体９が激しい運動による、あらゆる方向の荷重に順応できることによって人体への負担が大幅に緩和され、疲れや故障に大きく貢献することができる。又、単体の弾性体９が復元性に優れるので負荷が加われば、揺らぐが常に元に復元することによって安定した製品を保つことができる。
【０００９】
【発明の実施の形態】
以下、本発明を図示の実施の態様に従って説明する。図１及び図２において、１は基盤で、硬質な素材（例えばエチレン酢酸ビニル等の合成樹脂）により構成され、天壁２と側壁３とを有する多数の角箱状の支持体４と、支持体４同士を連結する連結体５とを備え、各支持体４の天壁２に円形の取付孔６が設けられている。
【００１０】
９は棒状の弾性体で、ゴムや弾性に富むプラスッチク等の単体弾性素材により構成され、弾性体９の上部に取付凹部１０が設けられ、弾性体９の下部に環状の係合溝１１が設けられている。１３は芝生模造葉片で、例えばナイロン系の合成樹脂により構成され、芝生模造葉片１３の下部が、弾性体９の取付凹部１０内に束状にして挿入固定され、この束ねられた芝生模造葉片１３は、弾性体９から叢生するように上方突出されている。
【００１１】
前記弾性体９は多数あって、弾性体９の下部を基盤１の支持体４の取付孔６に挿入して、取付孔６の縁部に弾性体９の係合溝１１を係合することによって、多数の弾性体９は基盤１上に間隔をおいて多数起立状に設けられている。
上記実施例におけるの人工芝生は、使用の際には、通常の土の地盤に敷設され、人工芝生の基盤１及び基盤１に起立状に設けられた弾性体９は、砂土１５中に埋設され、叢生した芝生模造葉片１３が砂土から上方突出した状態になる。
【００１２】
このようにして使用した場合、多数個の弾性体９が地中に点在することで砂土１５の全面粘着性を個々に打ち切ることができ、このことが砂土１５をほぐす結果となって、常にソフトなグランドが形成されることになる。また、図４〜図６に示すように弾性体９が伸縮・撓み動作することによっても砂土１５がほぐれる。そして砂土１５がほぐれることによって弾性体９が活動し易くなり、この結果人体にソフトになる。
【００１３】
よって、弾性体９も動きが発揮しやすく激しい運動等により上部荷重が加われば収縮作用・前後左右からの荷重に対しては、弾性体９が荷重の度合いに応じて撓み作用・ひねり作用等と、あらゆる荷重に適応することができる。例えば図３に示すように芝生にひねり荷重がかかった場合、この荷重に対応して各弾性体９がそれぞれ独立にひねり動作をして、このひねり荷重に適応する。又、スポーツの種類（激しいスポーツ・激しくないスポーツ）によっても基盤１の強度や弾性体９の長さ・太さ・形状等を選択、又芝生模造葉片１３の長さ・堅さ等を変えたり、それらを組み合わせたりし、スポーツにあった構成にすれば、より快適なプレーができる。
【００１４】
その他の特徴として、弾性体９はそれぞれ基盤１上で１本１本が独立した構成となっているので、例えば図７又図８に示すように荷重に対して各弾性体９の１本１本がその部分の荷重度合いに順応して撓み、それぞれ異なった動きをするため、プレーするにあたって足や手その他の体が当たる部分のみの弾性体９が動き、他の部分に影響を与えないので全体的な安定が得られる。又、基盤１と弾性体９との取り付け方法を嵌め込み式で且つ極端な荷重が加わった場合には、弾性体９が外れるように構成することもでき、弾性体９が基盤１から外れることによって人体に与える極端な荷重衝撃の緩和に大いに役立ち、怪我の発生を効果的に防ぐことができる。又、１本１本の弾性体９の集まりを利用して芝生模造葉片１３の色や長さ・強さ等をそれぞれ替えることができ、色の差異によって文字やラインなども描くことができる。
【００１５】
次に、荷重を受ける時の弾性体９の動きについて、まず足・手・体などの荷重が加わった場合、荷重は加わっている部分でも位置によって衝撃の強さ・弱さ・方向等に違いが生じる。強く加わっている所もあれば弱く加わっている所もあり、捻られた状態で加わっている所もあれば、又、加わるものの形によっても衝撃の強さ・弱さ・方向等に違いが生じ、例えば丸いものもあれば四方の方向に荷重が波及する。このような場合、本発明では単体の弾性体９がグランドの砂土１５内に点在することにより、荷重の加わる地点において、衝撃を受けたときに１本１本の弾性体９が１荷重地点内での強弱やひねり等の細かな荷重度合いにそれぞれ対応でき、ある部分では収縮、ある部分では撓み、ある部分ではひねり等と運動による複雑な荷重衝撃に応じた衝撃緩和が行われることによって、人体への負担が大幅に軽減され快適なプレイができる。
【００１６】
弾性体９は、様々で複雑な外部荷重により、捻られたり、圧縮されたり・伸長させられたり・撓まされりと荷重の方向や度合いに対応し、それぞれの動きを示し、このことが荷重後の反発力（度合いが多ければ大きく、少なければ小さく）を生み自らの復元や砂土１５をも元へ返す力にもなる。
砂土１５層は、上部の表面に近いほど移動しやすく、下部の深いところほど安定しているので、弾性体９の動きも同様に上部は揺らぎ易く、又、下部は揺らぎにくくなるので、荷重衝撃の大きい上部では弾性体９は活動し易くなり、基盤１は影響を受けにくく安定しているので、スポーツ等のグランドに敷設する人工芝生として最適となる。
【００１７】
そして、本発明の構成によるそれぞれの動きに関しては、天然の植物でいうと、芝生模造葉片１３は葉であり、弾性体９が茎であり、又、基盤１部分が根であるというように、それぞれの部分の動きを持った天然植物に類似した人工芝生であるともいえる。
図９及び図１０は他の実施の態様を示し、基盤１と弾性体９とが同一素材（例えばエチレン酢酸ビニル等の合成樹脂）にて一体に形成され、弾性体９に、例えばナイロン系の合成樹脂により構成した複数の芝生模造葉片１３が叢生するように上方突出状に設けられたもので、基盤１は円板状の支持体４と該支持体４同士を連結する連結体５とを備え、支持体４に弾性体９が一体に上方突設されている。その他の構成は前記実施の態様と同様の構成である。
【００１８】
図１１は図９及び図１０の実施の態様の変形例を示し、基盤１の支持体４及び弾性体９を短く形成したものである。
図１２〜図１９はそれぞれ他の実施態様を示し、図１２は、弾性体９の太さを異ならせるようにしたものである。図１３は、弾性体９の長さを異ならせると共に、芝生模造葉片１３の長さを異ならせるようにしたものである。図１４は、弾性体９の太さ及び長さを異ならせると共に、芝生模造葉片１３の長さを異ならせるようにしたものであって、太く形成した弾性体９を長くし、細く形成した弾性体９を短く形成している。図１５は、図１４の場合と同様に弾性体９の太さ及び長さを異ならせると共に、芝生模造葉片１３の長さを異ならせるようにしたものであって、図１４の場合とは逆に細い弾性体９を長くし、太い弾性体９を短く形成している。図１６は、弾性体９の長さを異ならせると共に、芝生模造葉片１３の長さを一定にしたものである。図１７は、弾性体９の太さ及び長さを異ならせると共に、芝生模造葉片１３の長さを一定にしたものである。図１８は、弾性体９の太さ及び長さを一定にすると共に、芝生模造葉片１３の長さを異ならせるようにしたものである。図１９は、弾性体９の太さを異ならせると共に長さを一定にし、芝生模造葉片１３の長さを異ならせるようにしたものである。
【００１９】
なお、前記実施例では、弾性体９が、基盤１に対して着脱自在に設けられ、或いは弾性体９を基盤１に一体に形成するようにしているが、これに代え、弾性体９を基盤１に対して接着剤その他で固着するようにしてもよい。
【００２０】
【発明の効果】
本発明によれば、人工芝生をアスファルトコンクリート舗装地盤などの堅い地盤に敷設しなくてもよく、競技等の激しい運動に際しても、弾性体９が激しい運動によるあらゆる方向の荷重に順応でき、人体（特に膝等）に与える影響・負担が小さくて済み、疲れや故障を減少させることができる。しかも、弾性体９のもつ弾性によって復元力がよくなり、安定した製品を保つことができ、手入れの必要も少なくなる。
【図面の簡単な説明】
【図１】本発明の一実施例を示す図２のＡ−Ａ線断面図である。
【図２】同平面図である。
【図３】同作用説明用の断面図である。
【図４】同作用説明用の断面図である。
【図５】同作用説明用の平面図である。
【図６】同作用説明用の断面図である。
【図７】同作用説明用の側断面図である。
【図８】同作用説明用の側断面図である。
【図９】他の実施の態様を示す平面図である。
【図１０】図９のＢ−Ｂ線断面図である。
【図１１】他の実施の態様を示す側断面図である。
【図１２】他の実施の態様実施例を示す側面図である。
【図１３】他の実施の態様実施例を示す側面図である。
【図１４】他の実施の態様実施例を示す側面図である。
【図１５】他の実施の態様実施例を示す側面図である。
【図１６】他の実施の態様実施例を示す側面図である。
【図１７】他の実施の態様実施例を示す側面図である。
【図１８】他の実施の態様実施例を示す側面図である。
【図１９】他の実施の態様実施例を示す側面図である。
【図２０】従来例を示す断面図である。
【図２１】他の従来例を示すを示す正面図である。
【符号の説明】
１        基盤
９        弾性体
１３        芝生模造葉片
【図１】
0003727979.tif 000002
【図２】
0003727979.tif 000003
【図３】
0003727979.tif 000004
【図４】
0003727979.tif 000005
【図５】
0003727979.tif 000006
【図６】
0003727979.tif 000007
【図７】
0003727979.tif 000008
【図８】
0003727979.tif 000009
【図９】
0003727979.tif 000010
【図１０】
0003727979.tif 000011
【図１１】
0003727979.tif 000012
【図１２】
0003727979.tif 000013
【図１３】
0003727979.tif 000014
【図１４】
0003727979.tif 000015
【図１５】
0003727979.tif 000016
【図１６】
0003727979.tif 000017
【図１７】
0003727979.tif 000018
【図１８】
0003727979.tif 000019
【図１９】
0003727979.tif 000020
【図２０】
0003727979.tif 000021
【図２１】
0003727979.tif 000022